(57)【特許請求の範囲】
【請求項１】
各種信号や電力を供給できる手段を有する基体と、この基体に対して往復動する移動体と、この移動体と前記基体との間を接続して所定の信号や電力を伝送する平形多心ケーブルとを備え、前記移動体にはその移動方向に対して略直角方向に固定片を設け、この固定片の部分に平形多心ケーブルの一端側を保持させると共に前記固定片の適所にて該平形多心ケーブルを前記移動方向に向くよう折り曲げて前記基体に向けて延設し、かつ押え部材で前記折り曲げ部分を押圧保持してなる平形多心ケーブルの取付け構造において、
前記平形多心ケーブルは、前記固定片の部分に保持されたケーブル部分が当該固定片の移動方向に折り曲げられたケーブル部分の上に配置されるように折り曲げて折り曲げ部を構成してなり、
前記押え部材は、前記固定片の片面から前記移動方向に向けて突設されて成る第１押え部材と、前記固定片の先端から前記移動方向と直角方向に突設された第２押え部材で構成され、
前記第１押え部材及び第２押え部材は、前記平形多心ケーブルと対向する側の片面から曲面形状をした突起が該ケーブルに向けて突出形成され、かつ当該突起の突出方向の曲面形状の先端が前記平形多心ケーブルの折り曲げ部分を押圧保持してなり、
前記第１押え部材の前記突起の押圧保持位置は、前記折り曲げ部分であって且つ前記「固定片の部分に保持されたケーブル部分」を上から押圧保持する位置であり、前記第２押え部材の前記突起の押圧保持位置は、前記折り曲げ部分であって且つ前記「固定片の移動方向に折り曲げられたケーブル部分」を上から一部押圧保持する位置であることを特徴とする平形多心ケーブルの取付け構造。
【請求項２】
請求項１において、前記押え部材の突起の曲面形状は球面であることを特徴とする平形多心ケーブルの取付け構造。
【請求項３】
請求項１又は２において、前記移動体は、プリンタの記録ヘッドであることを特徴とする平形多心ケーブルの取付け構造。
【発明の詳細な説明】
【０００１】
【発明の属する技術分野】
本発明は、平形多心ケーブル（ＦＦＣ）の取付け構造に係り、特に、往復移動する移動体とこの移動体を支える基体との間を電気的に接続する平形多心ケーブルを、前記移動体に取り付け固定する際に用いられる平形多心ケーブルの取付け構造に関するものである。
【０００２】
【従来の技術】
一般に、ワイヤードッドプリンタあるいはインクジェットプリンタ等は、往復動する記録ヘッドと紙送りとにより用紙に印字等を行う装置として知られている。かかるプリンタは、各種信号や電力を供給できる手段を備えた基体と、この基体に対して往復動する移動体としての記録ヘッドと、この記録ヘッドと前記基体との間を電気的に接続して所定の信号や電力を伝送する平形多心ケーブルとから構成されている。このように記録ヘッドに信号等を供給するために平形多心ケーブルを多用するのは、高い周波数の信号の伝送が可能であり、しかも、往復動による繰り返し応力に対しても比較的強く、かつ、フレキシビリティを備えてよく往復動に対応できるからである。
【０００３】
しかしながら、前記記録ヘッドは高速で往復動するため、当該平形多心ケーブルを記録ヘッドに単純に取り付け固定するだけでは、正常な状態を維持することができない。そこで、平形多心ケーブルを記録ヘッドに取り付け固定する取付け構造が必要になる。
【０００４】
図３は、従来の平形多心ケーブルの取付け構造を示す斜視図である。この図において、記録ヘッド１はキャリッジ２の上に固定されている。このキャリッジ２には所定径の取付孔３が穿設されており、この取付孔３とガイドバー４とを嵌め込み、キャリッジ２をガイドバー４に沿って図示左右に往復動可能になっている。また、このキャリッジ２は、図示しないタイミングベルトで駆動されるようになっている。
【０００５】
前記キャリッジ２には、その移動方向Ｙに対して略直角方向に固定片５が延設されている。この固定片５には、平形多心ケーブル６の一端が保持されると共に、更に該固定片５の先端部にて前記移動方向Ｙを向くよう当該平形多心ケーブル６は折り曲げられて配置されている。すなわち、平形多心ケーブル６は、その一端側のケーブル部分６ａがその先端のコネクタ７を記録ヘッド１のコネクタ８に接続して該固定片５の上に保持されている。また、固定片５の先端部において、平形多心ケーブル６の前記ケーブル部分６ａから折り曲げられ、前記移動方向に向くようにケーブル部分６ｂが延設されている。そして、前記ケーブル部分６ａが他のケーブル部分６ｂの下に位置するように折り曲げて折り曲げ部分６ｃが構成されている。この折り曲げ部分６ｃは、押え部材９により押圧保持されている。また、キャリッジ２の移動方向ケーブル部分６ｂの始端が他の押え部材１０で押圧保持されている。なお、平形多心ケーブル６の他端は、基体１１の所定の接続部位１２に電気的に接続されるとともに固定されている。
【０００６】
【発明が解決しようとする課題】
しかしながら、このような従来の平形多心ケーブルの取付け構造にあっては、前記ケーブル部分６ａが他のケーブル部分６ｂの下に位置するように折り曲げて折り曲げ部６ｃが構成されているため、図４に示すように、キャリッジ２の往復動に応じて前記ケーブル部分６ｂには、その折り曲げ位置６ｄを起点として上側に向く力ｑが発生し、押え部材１０の圧接力ｒとの繰り返しに起因した応力が平形多心ケーブル６の折り曲げ部分６ｃで発生し、この部分で断線する恐れがあった。
【０００７】
この問題を無くすためには、平形多心ケーブル６の折り曲げ部分６ｃ全体をフィルム等で覆う必要があるが、このようにすると、部品点数が増加する他、組み立て工数が増加してしまうという欠点があった。
【０００８】
本発明の課題は、簡単な構造でかつ断線等の発生を少なくした平形多心ケーブルの取付け構造を提供することにある。
【０００９】
【課題を解決するための手段】
上記課題を達成するために、本願請求項１に記載の発明は、各種信号や電力を供給できる手段を有する基体と、この基体に対して往復動する移動体と、この移動体と前記基体との間を接続して所定の信号や電力を伝送する平形多心ケーブルとを備え、前記移動体にはその移動方向に対して略直角方向に固定片を設け、この固定片の部分に平形多心ケーブルの一端側を保持させると共に前記固定片の適所にて該平形多心ケーブルを前記移動方向に向くよう折り曲げて前記基体に向けて延設し、かつ押え部材で前記折り曲げ部分を押圧保持してなる平形多心ケーブルの取付け構造において、前記平形多心ケーブルは、前記固定片の部分に保持されたケーブル部分が当該固定片の移動方向に折り曲げられたケーブル部分の上に配置されるように折り曲げて折り曲げ部を構成してなり、前記押え部材は、前記固定片の片面から前記移動方向に向けて突設されて成る第１押え部材と、前記固定片の先端から前記移動方向と直角方向に突設された第２押え部材で構成され、前記第１押え部材及び第２押え部材は、前記平形多心ケーブルと対向する側の片面から曲面形状をした突起が該ケーブルに向けて突出形成され、かつ当該突起の突出方向の曲面形状の先端が前記平形多心ケーブルの折り曲げ部分を押圧保持してなり、前記第１押え部材の前記突起の押圧保持位置は、前記折り曲げ部分であって且つ前記「固定片の部分に保持されたケーブル部分」を上から押圧保持する位置であり、前記第２押え部材の前記突起の押圧保持位置は、前記折り曲げ部分であって且つ前記「固定片の移動方向に折り曲げられたケーブル部分」を上から一部押圧保持する位置であることを特徴とするものである。
【００１０】
本発明により以下の作用効果が得られる。即ち、移動体の固定片に保持されたケーブル部分は移動体が移動してもほとんど浮き上がることはない。一方、当該固定片の移動方向に折り曲げられた他のケーブル部分は移動体の移動に伴って浮き上がろうとする。前記浮き上がることのないケーブル部分を浮き上がろうとするケーブル部分の上にして折り曲げ部が形成されているため、前者のケーブル部分によって後者のケーブル部分が上から無理なく押さえられる。この結果、フィルムにより折り曲げ部を被ったのと同様な押圧保持が可能となって、断線の恐れを簡単に低減することができる。しかも平形多心ケーブルを単に折り曲げるだけでよいので、組立工数も増加しない。
【００１２】
本発明によれば、平形多心ケーブルの折り曲げを前記の如くする（浮き上がることのないケーブル部分を浮き上がろうとするケーブル部分の上にする）と共に、押え部材の曲面形状にした突起で前記折り曲げ部分を押圧保持するようにしたので、平形多心ケーブルがいかなる方向に移動しようとしても、押え部材の突起の押圧力は等しく加わり、かつ、平形多心ケーブルが移動したときに突起による点接触であるため、平形多心ケーブルの若干の移動を可能として、押え部材の部分に圧力が集中することを防止でき、もって断線の恐れを大幅に低減できる。
【００１３】
また本願請求項２に記載の発明は、請求項１に記載の発明において、前記押え部材の突起の曲面形状は球面であることを特徴とするものである。この押え部材の球面突起により平形多心ケーブルの折り曲げ部分を押圧保持しても、球面であるため平形多心ケーブルのあらゆる移動方向に対して圧力が等しく加わることになり、もって、力の方向による偏りをなくして断線等が発生しにくくなる。また、押え部材の球面突起が前記折り曲げ部分を押圧しているため、当該平形多心ケーブルの移動を大きく妨げることはなく、圧力の集中を防止できる。
【００１４】
また、本願請求項３に記載の発明は、請求項１又は２に記載された発明において、前記移動体はプリンタの記録ヘッドであることを特徴とするものである。この種のプリンタの記録ヘッドは高速で移動すると共に、その移動回数の多さから前記平形多心ケーブルは相当過酷な繰り返しの負荷を受ける。従ってこのようなプリンタに上記発明を適用することの効果は大きいと言える。
【００１５】
【発明の実施の形態】
以下、本発明の実施の形態について図面を参照して説明する。図１は本発明の実施の形態に係る平形多心ケーブルの取付け構造を示す斜視図であり、図２は同実施の形態に使用される押え部材を拡大して示す断面図である。
【００１６】
これらの図において、本発明の実施の形態に係る平形多心ケーブルの取付け構造が、図３に示す平形多心ケーブルの取付け構造と異なるところは、平形多心ケーブル６の折り曲げ部６ｃを新たな構造とし、かつ、平形多心ケーブル６を押圧固定する押え部材９に曲面状の突起９ａを設け、この突起９ａにより前記平形多心ケーブル６の折り曲げ部６ｃを押圧固定するようにした点にあり、他の構成にについては同様なので同一部材に同一符号を付してその説明は省略する。
【００１７】
前記キャリッジ２には、その移動方向Ｙに対して直角方向に所定の長さＬの固定片５Ａが延設されている。この固定片５Ａには、平形多心ケーブル６の長手方向が移動方向Ｙに向くよう折り曲げられて配置されている。具体的には、前記平形多心ケーブル６は、固定片５Ａに保持されたケーブル部分６ａが、前記移動体１の移動方向に向いたケーブル部分６ｂの上に位置されるように折り曲げて折り曲げ部分６ｃが構成されている。この折り曲げ部分６ｃは固定片５Ａの先端部に位置している。
【００１８】
前記固定片５Ａには、その先端部の片面５ｃから移動方向Ｙに向けて押え部材９Ａ（第１押え部材９Ａ）が設けられており、かつ、その先端５ａから移動方向Ｙに対して直角方向を向く押え部材１０Ａ（第２押え部材１０Ａ）が設けられている。この押え部材９Ａは、図２に示すように、その片面に球面形状をした突起９ａが設けられており、かつ、この押え部材９Ａの突起９ａにより前記平形多心ケーブル６の折り曲げ部分６ｃを押圧保持している。また、前記押え部材１０Ａも同様に球面形状をした突起（図示せず）を備え、該突起により、平形多心ケーブル６の前記ケーブル部分６ｂの一部を押圧保持している。
【００１９】
次に、上記実施の形態の作用を説明する。この実施の形態の平形多心ケーブルの取付け構造は、平形多心ケーブル６の前記ケーブル部分６ａが他方の前記ケーブル部分６ｂの上に配置されるように折り曲げて折り曲げ部６ｃを構成したので、移動体１の移動に伴って浮き上がろうとするケーブル部分６ｂが、移動体１が移動しても浮き上がらないケーブル部分６ａで上から押さえられているので、移動体１の往復動に伴う繰り返し応力が平形多心ケーブル６の全体に作用することになると共に、前記折り曲げ部分６ｃにおける断線の発生を著しく少なくすることができる。
【００２０】
また、平形多心ケーブル６の折り曲げ部６ｃを押え部材９Ａ、１０Ａの球面突起で押圧保持したものは、平形多心ケーブル６がいかなる方向に移動しようとしても、押え部材９Ａ、１０Ａの球面突起の押圧力は等しく加わり、かつ、平形多心ケーブル６が移動したときでも球面突起による点接触であるため、平形多心ケーブル６が少し移動することを可能とし、押え部材９Ａ、１０Ａの部分に圧力が集中することを防止できる。
【００２１】
尚、上記実施の形態では、押え部材９Ａ、１０Ａの突起は球面形状に構成したが、この押え部材９Ａ、１０Ａの突起を他の曲面形状に構成してもよい。
【００２２】
【発明の効果】
以上説明したように本発明によれば、移動体の移動に伴って浮き上がることのないケーブル部分を浮き上がろうとするケーブル部分の上にして折り曲げ部が形成されているため、前者のケーブル部分によって後者のケーブル部分が上から無理なく押さえられることになる。この結果、フィルムにより折り曲げ部を被ったのと同様な押圧保持が可能となり、当該平形多心むケーブルの折り曲げ部分の断線の恐れを簡単に低減することができる。しかも平形多心ケーブルを単に折り曲げるだけでよいので、組立工数も増加しない。
【００２３】
また、平形多心ケーブルの折り曲げを前記の如くすると共に、押え部材の曲面形状にした突起で前記折り曲げ部分を押圧保持するようにすれば、平形多心ケーブルがいかなる方向に移動しようとしても、押え部材の突起の押圧力は等しく加わり、かつ、平形多心ケーブルが移動したときに突起による点接触であるため、平形多心ケーブルを少し移動を可能として、押え部材の部分に圧力が集中することを防止でき、もって断線の恐れを大幅に低減できる
【図面の簡単な説明】
【図１】本発明の実施の形態に係る平形多心ケーブルの取付け構造を示す斜視図である。
【図２】同実施の形態に使用される押え部材を拡大して示す断面図である。
【図３】従来の平形多心ケーブルの取付け構造を示す斜視図である。
【図４】従来構造の欠点を説明するために一部を拡大して示す断面図である。
【符号の説明】
１  記録ヘッド
２  キャリッジ
４  ガイドバー
５Ａ  固定片
６  平形多心ケーブル
９Ａ，１０Ａ    押え部材
９ａ  突起
【図１】
0003570219.tif 000002
【図２】
0003570219.tif 000003
【図３】
0003570219.tif 000004
【図４】
0003570219.tif 000005